(57)【要約】【課題】使用状況に応じて球ならし部の調整・交換が行いやすく、かつ着脱に伴う裏機構構成部品に対する損傷や破損の問題を解決しうる構成をなす遊技機を提供する。【解決手段】遊技機１には、上流側の貯留タンク１２から導出された遊技球を流下させるタンクレール２０が設けられており、このタンクレール２０の流路の上部において揺動可能に構成された球ならし部１０が配置されている。さらに、この球ならし部１０を揺動可能に支持する支持部３０Ｂを有してなる球ならし部取付部材２０が、貯留タンク、タンクレール、機構板等の遊技機の裏機構を構成する裏機構構成部品とは別体に形成されて、この裏機構構成部品に着脱可能に取り付けられる。【選択図】  図４
2004321563.tif 000002
【特許請求の範囲】
【請求項１】
上流側の貯留タンクから導出された遊技球を流下させる流路を備え、下流側に設けられた払出制御部に対して遊技球を供給する樋状のタンクレールと、
前記流路の上部において揺動可能に配置され、この流路を流下する遊技球に接触することにより遊技球の団塊をならす球ならし部と、
この球ならし部が揺動可能に取り付けられると共に、貯留タンク、タンクレール、機構板等の遊技機の裏機構を構成する裏機構構成部品に対し着脱可能に取り付けられる球ならし部取付部材とを備え、
さらに、この球ならし部取付部材が前記裏機構構成部品に固定された状態で、この球ならし部取付部材に対し前記球ならし部が着脱可能とされたことを特徴とする遊技機。
【請求項２】
上流側の貯留タンクから導出された遊技球を流下させる流路を備え、下流側に設けられた払出制御部に対して遊技球を供給する樋状のタンクレールと、
前記流路の上部において揺動可能に配置され、この流路を流下する遊技球に接触することにより遊技球の団塊をならす球ならし部と、
この球ならし部が揺動可能に取り付けられると共に、貯留タンク、タンクレール、機構板等の遊技機の裏機構を構成する裏機構構成部品に対し着脱可能に取り付けられる球ならし部取付部材とを備え、
前記球ならし部取付部材の一部が係合部として形成され、この係合部が前記球ならし部に形成された被係合部と係合することにより前記球ならし部が前記球ならし部取付部材に対して取り付けられるようになっており、
前記係合部と前記被係合部の少なくともいずれか一方が、係合位置と係合解除位置との間で弾性変形可能に形成されていることを特徴とする遊技機。
【発明の詳細な説明】
【０００１】
【発明の属する技術分野】
本発明は、タンクレールを備えた遊技機に関する。
【０００２】
【従来の技術】
従来、パチンコ機とも称される遊技機では遊技盤の裏面に樹脂製の機構板が設けられるものが一般的であり、この機構板の上部に貯留タンク（球タンクとも称する）を配置すると共にこの貯留タンクから排出される遊技球をタンクレールによって下方に流下させ、その下流側に配置された賞球の払い出しを制御する払出制御部に遊技球を供給するような構成のものが提供されている。
【０００３】
【特許文献１】
特開平８−３２３００４号公報
【０００４】
【発明が解決しようとする課題】
ところで、上記のような遊技機では、タンクレールからの払出制御部（賞球制御部とも称する）への遊技球の供給が停止してしまうと、賞球が十分に放出されなくなり、遊技者は極めて不快な思いをする。このような遊技球の供給が停止してしまう原因として、貯留タンクから払出制御部へパチンコ球を供給するタンクレールにおける球詰まりが考えられ、このような球詰まりはいくつかのパチンコ球が上下に積み重なって団塊化した状態でタンクレール内に噛み込むことによって生ずる。
【０００５】
これに対し、この球詰まりを解消するために、従来から取られていた手法として、タンクレールの流路の上方に揺動可能な球ならし部を設け、この球ならし部により、団塊化した遊技球群の上部をならすようにして平坦化し、遊技球があまり積み重ならないようにして団塊化を防ぐ構成のものが提供されている。
【０００６】
一方、このような団塊化は、遊技球の表面状態、すべり具合、タンクレールを流れる球圧など様々な要素が原因となって生じるものであり、使用状況に応じて団塊化の程度が異なる。従って、球ならし部によりならす場合に、球ならし部の重さ（場合によっては個数や形状も）を調整する必要があるため、球ならし部を着脱可能に構成することが望ましく、特にこの着脱作業を容易に行える構成が望ましい。特許文献１に記載のものでは、ねじによって球ならし部を取り付けるように構成し、このねじを着脱することにより球ならし部を交換可能としている。
【０００７】
しかしながら、このようにすると、球ならしを取り付ける機構板などの裏機構構成部品において頻繁に着脱する必要があるため、着脱に伴って機構板やタンクレールに損傷が生じやすく、これら機構板やタンクレールの傷みや損傷を引き起こしやすくなってしまう。
【０００８】
本発明は上記のような事情に基づいて完成されたものであって、球ならし部の調整・交換が行いやすく、かつ裏機構構成部品に損傷や破損が生じ難い構成をなす遊技機を提供することを目的とする。
【０００９】
【課題を解決するための手段及び作用・効果】
上記課題を解決するための有効な手段とその作用・効果を以下に示す。
手段１．上流側の貯留タンクから導出された遊技球を流下させる流路を備え、下流側に設けられた払出制御部に対して遊技球を供給する樋状のタンクレールと、
前記流路の上部において揺動可能に配置され、この流路を流下する遊技球に接触することにより遊技球の団塊をならす球ならし部と、
この球ならし部を揺動可能に支持する支持部を有すると共に、貯留タンク、タンクレール、機構板等の遊技機の裏機構を構成する裏機構構成部品に対し着脱可能に取り付けられる球ならし部取付部材とを備え、
さらに、この球ならし部取付部材が前記裏機構構成部品に固定された状態で、この球ならし部取付部材に対し前記球ならし部が着脱可能とされたことを特徴とする遊技機。
【００１０】
手段１（即ち請求項１）のように構成すれば、使用状況に応じて球ならし部の調整・交換が行いやすく、かつ着脱に伴う裏機構構成部品に対する損傷や破損などの問題を解決しうる構成となる。
【００１１】
手段２．上流側の貯留タンクから導出された遊技球を流下させる流路を備え、下流側に設けられた払出制御部に対して遊技球を供給する樋状のタンクレールと、
前記流路の上部において揺動可能に配置され、この流路を流下する遊技球に接触することにより遊技球の団塊をならす球ならし部と、
この球ならし部を揺動可能に支持する支持部を有すると共に、貯留タンク、タンクレール、機構板等の遊技機の裏機構を構成する裏機構構成部品に対し着脱可能に取り付けられる球ならし部取付部材とを備え、
前記球ならし部取付部材の一部が係合部として形成され、この係合部が前記球ならし部に形成された被係合部と係合することにより前記球ならし部が前記球ならし部取付部材に対して取り付けられるようになっており、
前記係合部と前記被係合部の少なくともいずれか一方が、係合位置と係合解除位置との間で弾性変形可能に形成されていることを特徴とする遊技機。
【００１２】
手段２（即ち請求項２）のように構成すれば球ならし部と球ならし部取付部材を係合により取り付けることが可能となり、取付に関し特別な部品（例えばねじ等）を設ける必要がなくなると共に、球ならし部の交換が行いやすい構成となる。そして、このように弾性変形によって係合する部品を用いて取りつけると着脱の頻度によっては破損する虞があるが、球ならし部取付部材が裏機構構成部品に対して着脱可能に構成されているため、このように破損可能性のある構成であっても安価にメンテナンスできることとなる。
【００１３】
手段３．前記球ならし部取付部材が前記裏機構構成部品に固定された状態で、この球ならし部取付部材に対し前記球ならし部が着脱可能とされたことを特徴とする手段２に記載の遊技機。
【００１４】
球ならし部取付部材を裏機構構成部品に取り付けたまま球ならし部を交換できるため球ならし部の着脱が行いやすく、球ならし部取付部材については裏機構構成部品に対する着脱頻度を極めて少なくすることができるため、裏機構構成部品の損傷や破損を低減ないし防止できる。
【００１５】
手段４．前記球ならし部取付部材は、前記裏機構構成部品に固定されるベース部を有し、前記支持部はこのベース部から突出して構成されており、この支持部の端部に前記係合部が形成されることを特徴とする手段１ないし手段３のいずれかに記載の遊技機。
【００１６】
このようにすれば、球ならし部を支持しやすい形状として支持部を形成でき、かつ端部に係合部を形成しているため係合解除などの操作を行いやすい構成となる。
【００１７】
手段５．前記支持部は、当該遊技機の後方側に延びるように前記ベース部から突出して構成され、この支持部の後方端部に前記係合部が配置されることを特徴とする手段４に記載の遊技機。
【００１８】
このようにすれば後方端部に係合部が配置されるため、後方から球ならし部の取り付けや取外しを行いやすい構成となり、後方からメンテナンスが行われる裏機構構成部品において都合のよい構成となる。
【００１９】
手段６．前記ベース部は板状又は略板状に形成されてその板面が前記裏機構構成部品にて支持される構成をなすことを特徴とする手段４又は手段に記載の遊技機。
【００２０】
このようにすれば、ベース部を加工容易な構成とすることができ、かつ裏機構構成部にて安定して支持可能な構成となる。より具体的には、裏機構構成部品の外面上に自身の板面が当接するようにベース部を配置するようにすれば、ベース部が安定して支持される構成となる。さらに詳述すれば、裏機構構成部品の外面上にベース部を支持する構成において、裏機構構成部品の外面（例えばタンクレールの外面（側壁の壁面等）や機構板の板面など）にベース部の外面を当接して支持するように構成できる。
【００２１】
手段７．前記支持部は前記ベース部から軸状に突出する球ならし部支持軸を備えるとともに、前記係合部はこの球ならし部支持軸の先端部に形成された係合爪を有してなり、
他方、前記被係合部は、前記球ならし部に形成された所定の貫通孔を備え、
前記球ならし部支持軸を前記貫通孔において貫通させると共に、この先端部の前記係合爪を前記貫通孔外へ突出させ、この係合爪が前記貫通孔における開口部の縁にて係止するようにして抜け止めされて前記係合部及び前記被係合部が互いに係合することを特徴とする手段４ないし手段６のいずれかに記載の遊技機。
【００２２】
このようにすれば、球ならし部を球ならし部支持軸にて揺動可能に軸支しつつ両者を特別な結合部材を用いずに係合することのできる好適構成となる。
【００２３】
手段８．前記球ならし部取付部材において前記支持部が複数設けられたことを特徴とする手段１ないし手段７のいずれかに記載の遊技機。
【００２４】
このようにすれば、状況に応じて支持部を選択的に配置したり、任意数の支持部を設けることが可能となる。具体的には、手段８に記載の遊技機、若しくは手段８に下記いずれかの手段を従属させたものにおいて、前記複数の支持部において各支持部毎に前記球ならし部が着脱可能に取り付けられるように構成できる。
【００２５】
手段９．前記裏機構構成部品に対する前記球ならし部取付部材の取付位置を変更可能に設定する取付位置可変設定手段を備えたことを特徴とする手段１ないし手段８のいずれかに記載の遊技機。
【００２６】
このようにすれば、裏機構構成部品に対して球ならし部取付部材の位置調整が可能となり、使用状況に応じて（使用する球のすべり具合や球圧などに応じて）最適位置に設定することが可能となる。
【００２７】
手段１０．前記裏機構構成部において前記球ならし部取付部材の取り付け位置が複数設けられることを特徴とする手段１ないし手段９のいずれかに記載の遊技機。
【００２８】
このようにすれば、球ならし部取付部材を裏機構構成部に対し選択的に取り付けたり、複数の球ならし部取付部材を用いた球ならしが可能となる。
【００２９】
手段１１．前記球ならし部取付部材を複数備えると共に、各球ならし部取付部材はそれぞれ支持部が１つのみ設けられる構成をなすことを特徴とする手段９又は手段１０に記載の遊技機。
【００３０】
このようにすれば、支持部が破損や損傷などして球ならし部取付部材を交換したい場合に、該当する支持部のみを交換できることとなる。また、支持部を１つ単位で扱うことができ、必要数に応じた支持部の設置（即ち、必要数に応じた球ならし部の設置）が可能となる。
【００３１】
手段１２．前記係合部は、当該遊技機を裏側から平面視した場合に視認可能な位置に配置されることを特徴とする手段１ないし手段１１のいずれかに記載の遊技機。
【００３２】
このようにすれば、裏側からの係合部の操作を行いやすくなり、ひいては球ならし部の容易な着脱操作が可能となる。
【００３３】
手段１３．前記球ならし部取付部材は前記タンクレールに取りつけられる構成をなすことを特徴とする手段１ないし手段１２のいずれかに記載の遊技機。
【００３４】
このようにすれば、タンクレールと球ならし取付部材をと別体に形成しつつもタンクレールと一体的に部品管理可能となる。また、タンクレール以外の部品に球ならし部取付部材を取り付け難いものにおいては有効な構成となる。
【００３５】
手段１４．前記タンクレールは、前方側及び後方側にそれぞれ側壁が設けられるとともに、前方側の側壁は後方側の側壁よりも一部が高くなっており、その高く構成された領域が前記球ならし部取付部材の取付領域とされ、その取付状態において前記支持部が流路側に突出する形態をなすことを特徴とする請求項１３に記載の遊技機。
【００３６】
このようにすれば、タンクレールに球ならし部を配置しようとした場合に、このタンクレールにおける視認しやすい位置に球ならし部取付部材が配置されることとなり、球ならし部や球ならし部取付部材の着脱操作の際に後方側の側壁が邪魔になり難く、もってこれらの着脱操作が行いやすい構成となる。特に、支持部が流路側（即ち後方側）に突出するため支持部が見えやすく、支持部に対する球ならし部の着脱操作が極めて行いやすい構成となる。
【００３７】
手段１５．前記球ならし部取付部材は、機構板に取り付けられることを特徴とする請求項１ないし請求項１２のいずれかに記載の遊技機。
【００３８】
このようにすれば、タンクレールや貯留タンクに球ならし取付部材を取り付け難い構成のものにおいて有用な構成となる。
【００３９】
手段１６．前記球ならし部取付部材は、貯留タンクに取り付けられることを特徴とする請求項１ないし請求項１２のいずれかに記載の遊技機。
【００４０】
このようにすればタンクレールや機構板に球ならし取付部材を取り付け難い構成のものにおいて有用な構成となる。具体的には例えば、貯留タンクの底壁に球ならし部取付部材を配置するようにできる。
【００４１】
手段１７．前記球ならし部取付部材は、前記裏機構構成部に対し、前記球ならし部取付部材及び前記裏機構構成部の双方とは別体に構成された締結部材により取り付けられることを特徴とする請求項１ないし請求項１６のいずれかに記載の遊技機。
【００４２】
このように双方とは別体に構成された締結部材により取り付けるようにすれば、取り付けに係る部分が破損しても球ならし部取付部材や裏機構構成部を交換する必要がなく、容易にかつ安価に交換可能な取り付け構成となる。なお、締結部材は、例えば金属材料によって構成すると破損し難くなる。また、樹脂材料にて構成すれば、コスト低減及びリサイクル性の向上を図ることが可能となる。本構成においては、球ならし部を着脱する場合には締結部材に影響を与えず、球ならし部取付部材を着脱するときのみ締結部材に影響を与えることとなるため、締結部材を操作する頻度が少なくなり、締結部材があまり損傷しない構成となる（例えば、締結部材をねじ等により構成した場合、ねじ山があまりつぶれ難い構成となる）。
【００４３】
手段１８．前記球ならし部取付部材は、前記裏機構構成部に対して係合により固定されていることを特徴とする手段１ないし手段１６のいずれかに記載の遊技機。
【００４４】
このように係合により球ならし部取付部材を裏機構構成部に取り付けるようにすれば、部品数を削減したい場合に都合のよい構成となる。さらに、この手段によれば、球ならし部を交換する場合には球ならし部のみを交換すればよく、球ならし部取付部材と裏機構構成部の係合は当該球ならし部取付部材を交換する場合にのみ着脱することとなるため、着脱頻度が少なく、係合構造を用いた場合であっても裏機構構成部には損傷や破損が少ない構成となる。
【００４５】
手段１９．前記球ならし部取付部材は、取付位置から所定方向に変位させて取り外しするように構成されており、この取り外し方向において、当該球ならし部取付部材の取付対象となる裏機構構成部品には、その取り外し経路上において前記球ならし部取付部材が移動可能となる空間を構成する移動スペースが設けられている特徴とする手段１ないし手段１８のいずれかに記載の遊技機。
【００４６】
このようにすれば、球ならし部取付部材を取り外す方向において移動スペースが確保されることとなり、球ならし部取付部材の着脱が行いやすい構成となる。
【００４７】
手段２０．前記移動スペースは、前記取り外し方向において前記球ならし部取付部材を少なくとも取付解除位置まで移動可能となるように、その取付位置から取付解除位置までの領域における取り外し経路上において移動を阻害する阻害部が配置されないように構成されていることを特徴とする手段１９に記載の遊技機。
【００４８】
このようにすれば、阻害部によって阻害されることなく取付位置から球ならし部取付部材を移動させて取り付けを解除することができる。
【００４９】
手段２１．前記取り外し方向は後方向となるように構成されており、
取付状態おいて前記裏機構構成部品を裏面から見た場合に、前記球ならし部取付部材が視認可能な位置に配置されることを特徴とする手段１９または手段２０に記載の遊技機。
【００５０】
このようにすれば、取り外し方向が後方向とされるものにおいて、球ならし部取付部材を確認しやすく取り外し操作が行いやすい構成となる。なお、本明細書では、遊技盤の盤面と直交する方向を前後方向として構成している。
【００５１】
手段２２．前記球ならし部取付部材は、取付状態において、後方から略全外形が視認可能となるように構成されていることを特徴とする手段２１に記載の遊技機。
【００５２】
このようにすれば、取り外し方向が後方向とされるものにおいて、球ならし部取付部材の後側に移動を阻害する阻害部が配置されない、又はほぼ配置されない構成となり、スムーズに着脱が行えることとなる。
【００５３】
手段２３．前記球ならし部の取付対象となる裏機構構成部品には、前記取付位置から取り外し方向において所定領域にわたり、その取り外し方向に沿った平坦面が形成され、その平坦面の後方側が前記移動スペースとされることを特徴とする手段１９又は手段２０に記載の遊技機。
【００５４】
このようにすれば、移動スペースを簡易な形状で形成でき、かつ移動が阻害されない好適構成となる。
【００５５】
手段２４．前記球ならし部取付部材は、前記平坦面の面方向に沿ってその平坦面上、又はその平坦面近傍をスライド可能に構成され、その平坦面の後方位置が取付解除位置とされていることを特徴とする手段２３に記載の遊技機。
【００５６】
このようにすれば、スライドさせて球ならし部取付部材を取り外す構成のものにおいて、スライドが阻害されずに取り外しが円滑に行える構成となる。
【００５７】
手段２５．前記移動スペースは、前記球ならし部取付部材をその取り外し方向と直交する方向から視認した場合において、当該球ならし部取付部材の外形面積より広い領域として構成されていることを特徴とする手段２３又は手段２４に記載の遊技機。
【００５８】
このようにすれば、球ならし部取付部材の外形面積よりも広い面積にて移動スペースが構成されるため、球ならし部取付部材全体が移動スペースに内包されるまで移動できることとなり、移動が中途とならず完全に行えることとなる。
【００５９】
【発明の実施の形態】
以下、本発明の実施形態を添付図面に基づいて説明する。
＜第１実施形態＞
本発明の第１実施形態を図１ないし図６を参照しつつ説明する。
図１は本発明の第１実施形態に係る遊技機１を概念的に示す斜視図、図２はその遊技機１の裏面図、図３は貯留タンク（球タンクとも称するものである）やタンクレールを機構板に取り付ける取付構成について説明する説明図である。また、図４はタンクレールの一例について示す斜視図であり、図５は図４のタンクレールの内部の構造を例示する図である。さらに、図６は球ならし部及びタンクレールについて拡大して示す拡大図である。
【００６０】
図１において、１５は遊技機１における機枠であり、該機枠１５の前面に前面枠２（前枠とも称する）が開閉自在に取付けられている。該前面枠２の裏面側には遊技盤４が取付けられており、この遊技盤の盤面を覆うようにガラス扉枠５が着脱かつ開閉自在に装着されている。さらに、遊技盤の盤面に打球を供給する上部球受皿７が装着され、前面枠２の下部には上部球受皿７の余剰球を貯留する下部球受皿８と、打球の発射強さを加減する操作ハンドル９が設けられる。
【００６１】
前面枠２の左側縁部はヒンジ具８８を介して機枠１５の左端部に蝶着され、ガラス扉枠５の左側縁部も前面枠２の左端部に蝶着されている。そして、自由端を施錠装置８９によって機枠１５および前面枠２に閉止状態で施錠しており、シリンダー錠の操作によって前記施錠装置８９を作用して前面枠２およびガラス扉枠５を開閉するようになっている。
【００６２】
前記ガラス扉枠５は、図１に示すように、前面枠２の上半部分以上を全幅にわたって覆う大きさに形成され、その中央部に、図示しない遊技盤の遊技領域が視認可能となるように円形状の窓部４が形成されており、その窓部４の全領域にわたってガラス板８１が配置されている。なお、図示はしていないが、窓部４の後方側において遊技盤の前面には、遊技球を案内するガイドレールが設けられ、このガイドレールによって囲まれる遊技領域に一般入賞口や可変表示装置の図柄を変動させる始動入賞口、また可変表示装置の予め設定された図柄の組合せにより開放する大入賞口等が設けられ、遊技領域の最下端にアウト口が設けられている。
【００６３】
さらに、遊技盤の裏面には入賞球集合パネルが設けられ、この裏側には図２及び図３に示すような機構板２６が配設されている。機構板２６の後方において、入賞球集合パネルの裏面に遊技内容を制御する回路基板が収納される基板ボックス２７が配置されている。基板ボックスは機構板２６に取り付けることもできるがこれ以外の部品に取り付けることもできる。一方前記機構板２６は、ヒンジ具によって開閉自在に装着され、図２に示すように機構板２６の開放側および上下に位置して遊技盤取付枠３に設けられた固定手段としての複数の係止具２９と、機構板２６に設けられた係止孔２８とにより、機構板２６を遊技盤の裏面に密着させた状態に圧接して固定するようにしている。図２では上側に設けられた係止具２９及び係止孔２８が図示されており、これ以外のものは図示はしていない。
【００６４】
また、機構板２６は、図３に示すように合成樹脂により例えば略方形状に形成されており、ほぼ中央に可変表示装置（図示略）の後部が臨む窓部が開設されており、該窓部の後方にはカバー２４が配置されており、窓部の上方にはパチンコ球を貯留する貯留タンク１２が取付けられる。図３は機構板２６から貯留タンク１２、タンクレール２０などを分解した分解斜視図を示しており、これらが組み合わされることにより図２のような配置構成をなすこととなる。また、貯留タンク１２の下方にはパチンコ球を整列して導き出すタンクレール２０が設けられ、その下流端は、屈曲誘導樋４５を介して所定数のパチンコ球の払い出しを制御する払出制御部４６が接続されている。タンクレール２０は貯留タンク１２側（上流側）から払出制御部４６側（下流側）へ向けて緩やかな勾配を持つように設けられている。払出制御部４６の下方には、この払出制御部４６から払出されたパチンコ球を上部球受皿７（図１）に導くように図示しない流路が構成されている。
【００６５】
タンクレール２０は、例えば樹脂材料などにより図４に例示されるような形状のものとして構成することができ、ここでは底壁２０Ｂの両側に垂直に起立する側壁２２を備えた樋状をなしていると共に、タンクレール２０の上流側（図３の左下方側）端部には底面を滑らかな球面状に形成した球受部２３が設けられている。球受部２３は貯留タンク１２から落下してきたパチンコ球の外部への飛び出しを規制して、パチンコ球を円滑にタンクレール２０内に進入させるようになっている。また、ここではタンクレール２０の両側壁２２，２２は球受部２３と同幅をもって連続している。両側壁２２，２２は球受部２３から下流側へ向けてほぼ半分か３分の２程度の範囲は徐々に高さを増すように形成されており、そこから先は緩やかな円弧面をもって徐々に下り勾配をなすように形成されている。
【００６６】
次に球ならし部１０について説明する。
球ならし部１０は、図４、図５に示すようにタンクレール２０に設けられた流路２０Ａの上部において揺動可能に配置され、この流路２０Ａを流下する遊技球に接触することにより遊技球の団塊をならすように構成されている。そしてこの球ならし部１０が揺動可能に取り付けられるように球ならし部取付部材３０が設けられており、この球ならし部取付部材３０は、貯留タンク、タンクレール、機構板等の遊技機の裏機構を構成する裏機構構成部品に対し着脱可能に取り付けるようにすることができる。ここでは、タンクレール２０に球ならし部取付部材３０が取り付けられた構成を示している。
【００６７】
球ならし部取付部材３０は、図４ないし図６に示すように、裏機構構成部品たるタンクレール２０に固定されるベース部３０Ａを有し、このベース部３０Ａは板状又は略板状に形成されてその板面がタンクレール２０上（より具体的にはタンクレール２０の内面上）にて支持される構成をなしている。また、球ならし部取付部材３０の一部は係合部３３として形成され、この係合部３３が球ならし部１０に形成された被係合部１１と係合することによりこの球ならし部１０が球ならし部取付部材３０に対して取り付けられるように構成されている。
【００６８】
この係合構造としては、係合部と被係合部の少なくともいずれか一方を、係合位置と係合解除位置との間で弾性変形可能となるように構成して他方と係合させるようにすることができる。ここでは、遊技機１の後方側に延びるようにベース部３０Ａから支持部３０Ｂが突出して構成され、その後方端部に弾性変形可能に構成された係合部３３が設けられている。より具体的には、球ならし部支持軸として軸状に突出して構成される支持部３０Ｂの先端において係合爪３３Ａ、下方支持部３３Ｂ及び切り欠き部３３Ｃが形成されており、係合爪３３Ａと下方支持部３３Ｂの先端同士が弾性変形により接近又は離間可能に構成されている。図６に示すような係合状態においては、被係合部１１を構成する貫通孔１１Ａにおいて挿入側とは反対側において係合爪３３Ａが突出しており、この係合爪３３Ａが貫通孔１１Ａの開口部の縁に係止することにより抜け止めされるようになっている。係合状態においては支持部３０Ｂ（球ならし部支持軸）が球ならし部１０をその軸線回りにおいて揺動可能に支持している。係合を解除する場合には、係合爪３３Ａの先端を押し下げるようにする。
【００６９】
さらに、本実施形態では、球ならし部取付部材３０が裏機構構成部品に固定された状態で、この球ならし部取付部材３０に対し球ならし部１０が着脱可能とされている。即ち、球ならし部取付部材３０を裏機構構成部品から取外さずとも球ならし部１０を取り外す、又は取り付けることができ、球ならし部１０の着脱を容易に行えるようになっている。例えば、貫通孔１１Ａを支持部３０Ｂの軸径よりも大とし、取り外し時に若干斜め方向に移動可能となるように、球ならし部１０を斜め上方ないし斜め側方に移動させて取り外すようにしてもよい。また、支持部３０Ｂの後方側に、後方側の側壁２２Ｂが存在しないように構成し（図１６参照：後述）、球ならし部１０を後方側に移動させて抜くようにしてもよい。この場合、球ならし部１０が所定の変位状態となった場合（図１６の例では球ならし部１０を自由状態から９０°以上回転させると、この球ならし部１０の後方に側壁２２Ｂが存在しないようになる（図１６のニ点鎖線部Ｐを参照））にその球ならし部１０の後方に、後方側の側壁２２Ｂが位置しないようになる位置関係として構成することができる。
【００７０】
球ならし部取付部材３０を裏機構構成部品に取り付ける構造については様々なものを採用できるが、ここでは、ねじ、ボルト等の締結部材１５（ここでの締結部材は裏機構構成部品及びベース部の双方と別体に構成されるものである）によりベース部３０Ａがタンクレール１２の内面に支持された状態（ここでは前側の側壁２２Ａの内面にベース部３０Ａが当接して支持された状態）で固定するようにしており、この固定状態においてベース部３０Ａから支持部３０Ｂがタンクレール２０の流路２０Ａ側に向かって突出するように構成されている。ベース部３０Ａの下方には、ベース部３０Ａの下方及び左右移動を拘束し、かつ前後移動を拘束する拘束部２１がベース部３０Ａの左右下端縁を抑えるように構成されており、この拘束状態で締結部材１５により上方を固定されることにより単一の締結部材で固定されるようになっている。
【００７１】
また、図４ないし図６の例では、球ならし部取付部材３０において支持部３０Ｂが複数（ここでは２つ）設けられており、双方の支持部３０Ｂに球ならし部１０が着脱可能に取り付けられる構成をなしている。なお双方の支持部３０Ｂに取り付けるようにせずに状況に応じていずれか一方の球ならし部１０のみを取り付けるようにしてもよい。また、ここでは、２つの球ならし部１０が互いに異なる形状をなしており、各配置位置ごとに球ならし部の固有の形状が設定されている。
【００７２】
球ならし部１０には錘を挿入するための錘挿入孔１３が形成されており、この錘挿入孔１３に錘を挿入することにより回転状態を調整するようにしている。錘としては例えば遊技球を用いることができ、錘挿入孔１３の径は遊技球の径と同じかやや小さめの径として構成されている。錘挿入孔１３には前後方向に複数の遊技球を挿入できるように構成されており、２つある球ならし部１０，１０のうちの第１球ならし部１０Ａ側では錘挿入孔１３が２つ設けられている。一方、第２球ならし部１０Ｂ側では錘挿入孔１３が１つのみ設けられる構成をなし、双方の球ならし部１０において錘挿入孔１３の個数を異ならせている。
【００７３】
＜第２実施形態＞
次に第２実施形態について図７を参照しつつ説明する。
第２実施形態では、球ならし部取付部材３０を裏機構構成部品に対して係合により固定している点が第１実施形態と異なり、その他の構成に付いては第１実施形態と同様の構成を用いている。
ここでは、タンクレール１２に係合爪４５が形成されており、図７に示すような係合状態においてはこの係合爪４５がベース部３０Ａの前後方向及び上方向への移動を拘束するようにして固定している。ここでは、ねじ等の締結部材を用いずに裏機構構成部品の一部部品（ここではタンクレールの一部部品）のみにより球ならし部取付部材３０と係合させるようにしている。係合爪４５は弾性変形可能に構成され、ベース部３０Ａから離れる向きに弾性変形するように構成できる。ここでは、係合爪４５が上方に撓むことにより係合解除状態となり、この係合解除状態においてはベース部３０Ａが斜め上方に抜かれて取り外されることとなる。なお、拘束部２１とベース部３０Ａの間には、ベース部３０Ａの板厚方向において若干の隙間を設けることができる。
【００７４】
＜第３実施形態＞
次に第３実施形態について図８及び図９を参照しつつ説明する。
第３実施形態では、裏機構構成部品に対する球ならし部取付部材３０の取付位置を変更可能に設定する取付位置可変設定手段を備えた構成について説明する。図８の例では、球ならし部取付部材３０のベース部３０Ａにおいてほぼ左右方向に延びる長孔５１が形成されており、この長孔５１に挿入されるようにしてねじ、ボルト等からなる長孔支持軸５０が設けられている。
【００７５】
長孔支持軸５０はここではタンクレール２０に形成された図示しないねじ孔に挿入されており、ねじ状の長孔支持軸５０を回転させてを締め付けることによりこの長孔支持軸５０とタンクレール２０との間にベース部３０Ａが挟みつけられて摩擦により固定されることとなる。固定状態を解除するには長孔支持軸５０を緩めて摩擦抵抗を少なくすればよい。そして、図に示すように長孔５１の一端側に長孔支持軸５０が寄った位置からこの長孔５１の他端側位置となるまでベース部３０Ａがタンクレール２０に対して相対的に変位可能となっており、ベース部３０Ａをスライドさせて位置調整可能となっている。ここでは球ならし部取付部材３０がタンクレール２０の長手方向にスライドするように構成されている。図８の構成では、ベース部３０Ａ、長孔５１、長孔支持軸５０が取付位置可変設定手段として機能している。
【００７６】
また、図９では、図８とは異なる取付位置可変設定手段の構成を示している。図９の例では、タンクレール２０においてほぼ左右方向に所定間隔ごと並んでねじ孔２３が形成されており、ベース部３０Ａの左右に形成された図示しないねじ孔に対応して、タンクレール２０における２つのねじ孔が選ばれるようになっている。そしてそれら対応するねじ孔２３及びベース部３０Ａのねじ孔（図示略）にねじ、ボルト等の締結部材５５を挿入して位置決め及び位置固定することとなる。この構成によれば裏機構構成部品（ここではタンクレール２０）に形成された所望の位置のねじ孔を選択することによりベース部３０Ａを所望の位置に設定することが可能となる。ここではねじ孔２３がタンクレール２０の長手方向に並んで複数配置されているが、タンクレール２０の長手方向と直交する方向に複数並べて配置するようにしてもよい。
【００７７】
＜第４実施形態＞
次に第４実施形態について図１０及び図１１を参照しつつ説明する。
第４実施形態では、裏機構構成部において球ならし部取付部材３０の取り付け位置が複数設けられた構成について説明する。図１０の例では、図４ないし図６に示すものと同様の取り付け構成をなす取付位置４３が複数（ここでは２つ）設けられており、いずれかの取付位置を選択可能となっている。即ち、ホール状態や取り付ける球ならし部１０の形状などに応じて球ならし部取付部材３０の取付位置を変更可能となっており、所望の位置設定が行えることとなる。なお、ここでは、取付位置４３が２つ設けられた例を示しているが、３以上であってもよい。各取付位置４３にはそれぞれ、球ならし部取付部材３０を取り付けるためのねじ孔２７が設けられている。
【００７８】
図１１の例では、球ならし部取付部材３０を複数備えると共に、各球ならし部取付部材３０にはそれぞれ支持部３０Ｂが１つのみ設けられる構成をなしている。このようにすれば、支持部３０Ｂが破損した場合、その破損した部位のみを交換することができる。また、球ならし部１０の個数を所望の個数としやすくなる。即ち、１つのみとしたほうがよい場合にはいずれか一方のみ設ければよく、２つのみ設けたほうがよい場合には双方に配置することができる。また、ここでは２つの取付位置を設けた構成を例示しているが、３以上の取付位置を設け各取付位置ごとに１つの球ならし部１０を取り付けるように球ならし部取付部材３０を配置するようにしてもよい。また、図１１では図示していないが、第１実施形態と同様の締結部材を用いてベース部３０Ａとタンクレール２０とを固定することができる。また、図１０、１１のいずれの構成においても第２実施形態のように係合により取り付けてもよい。
【００７９】
＜第５実施形態＞
第５実施形態では、タンクレール２０以外の裏機構構成部品に球ならし部取付部材３０が取り付けられた構成について説明する。なお、第５実施形態では、上記実施形態と取り付け対象のみが異なり、それ以外の構成については上記第１ないし第４実施形態に示すものを採用できる。
図１２では機構板２６に球ならし部取付部材３０を取り付けた構成を示している。具体的には、図１と同様の拘束部２６Ａが機構板２６の一部として形成されており、この拘束部２６Ａに球ならし部取付部材３０の下方端縁が支持されて下方端縁の前後左右および下方向への移動が拘束されている。そして、このような拘束とともに締結部材１５によりベース部３０Ａが機構板２６に固定されており、ベース部３０Ａが機構板２６の前面にて支持された状態で固定されている。なお、ここでは、取付構成を第１実施形態と略同様としているが、第２実施形態のように係合により取り付けてもよい。この場合、機構板２６の一部により係合爪を構成すればよい。第３実施形態のように可変設定するように構成してもよい。この場合、機構板２６にねじ孔を構成すればよい。さらに、第４実施形態のように複数の取付位置を設けるようにしてもよい。この場合、機構板２６に取付位置を設けるようにすればよい。
【００８０】
図１３では、貯留タンク１２（図２等参照）に球ならし部取付部材３０が取り付けられる構成について概念的に説明している。ここでは、球ならし部取付部材３０が断面Ｌ字状のプレートとして構成されており、貯留タンク１２に固定される貯留タンク固定部３０Ｃと、この固定部３０Ｃから曲げ返されて支持部３０Ｂのベースとなるベース部３０Ｄが設けられており、このベース部３０Ｄから支持部３０Ｂが軸状に突出する構成をなしている。破線部Ｌは貯留タンク１２の底壁裏面を仮想的に示すものであり、この底壁裏面に固定部３０Ｃが取り付けられる構成をなしている。取付構成としてはねじ等の締結部材により締結する構成であってもよく、係合により取り付けてもよい。
【００８１】
＜第６実施形態＞
次に第６実施形態について図１７を参照しつつ説明する。図１７はタンクレール２０及びその周囲の要部を拡大して示すものであり、この要部を裏側から見た図である。第６実施形態では、球ならし部１０の横側に裏機構構成部品に対する取付位置が設けられた構成について説明する。ここでは、ベース部３０Ａが機構板２６に取り付けられる構成をなし、その取付位置が球ならし部の横位置に設けられた構成を例示している。具体的には機構板２６に対し締結部材５５（ここでは４本のねじ）により固定されており、その締結部材５５による固定位置の横位置に支持部３０Ｂが設けられており、上記第１ないし第５実施形態と同様の球ならし部（図１７では図示略）がそれら実施形態と同様に支持部３０Ｂにおいて揺動可能に取り付けられている。この構成では、取付の際には、球ならし部取付部材３０をタンクレール２０の流路上方に対し横から進入させてタンクレール２０の流路上方に支持部３０Ｂが位置するように配置して固定するようにする。逆に取り外す際には、締結部材５５を取り外して進入側とは逆側に移動させ、タンクレール２０から離間させることとなる。この場合、取付状態において支持部３０Ｂの上方近傍に貯留タンク１２が存在する構成において有用となる。なお、図１７はこの構成を概念的に例示しており、貯留タンク１２（図１７では貯留タンクの底壁裏面を破線にて概念的に示す）がタンクレール２０の上方近傍に配置されている。
【００８２】
この球ならし部取付部材の側方には、球ならし部取付部材が移動できるように、後方への突出が無い、又は突出が少ない部分からなる移動スペースＭが構成されている。図１７の例では、締結部材５５（ここではねじ）が機構板２６に取り付けられる構成をなし、機構板２６の取付面においては平坦面が形成されている。この平坦面は、取付状態においてベース部３０Ａに当接する位置から側方の移動スペースＭにわたって連続して構成されている。例えば、少なくともベース部３０Ａを１部品分横にずらした位置まで平坦面が広がるように構成することができる。ここでは１部品分横にずらした領域を移動スペースＭとして例示しており、機構板２６に取り付ける場合においてこのように構成すれば、移動スペースＭに球ならし部取付部材を移動することによりタンクレール２０から完全に離間することができる。
【００８３】
さらに、上記第１ないし第６実施形態のいずれにおいても、球ならし部取付部材の取付対象となる裏機構構成部品には、その取り外し経路上において前記球ならし部取付部材が移動可能となる空間を構成する移動スペースを設けるようにすることができる。例えば、球ならし部取付部材は、取付位置から所定方向に変位させて取り外しするように構成することができ、この取り外し方向において、球ならし部取付部材を少なくとも取付解除位置まで移動可能となるように、その取付位置から取付解除位置までの領域における取り外し経路上において移動を阻害する阻害部が配置されないように移動スペースを構成することができる。この構成について具体的に図１４の例を参照して説明する。
【００８４】
図１４は、図１２の構成と略同様であるが、機構板２６の形状が図１２と若干異なり、さらに、貯留タンク１２の底壁位置について破線部Ｌにて概念的に示している。なお、図１４に示す機構板２６は平坦面や突起などを説明するために概念的に示すものであり、大きさや形状などについてはこれ以外の様々な形状をもとることができる。図１４において球ならし部取付部材３０の取付対象となる裏機構構成部品（図１４では機構板２６）には、取付位置から取り外し方向において所定領域にわたり、その取り外し方向に沿った平坦面２６Ｄが形成され、その平坦面２６Ｄの後方側が移動スペース（ここでは破線部にて移動スペースＫを例示）とされている。そして、球ならし部取付部材３０は、平坦面２６Ｄの面方向に沿ってその平坦面２６Ｄ上、又はその平坦面２６Ｄ近傍をスライド可能に構成され、その平坦面２６Ｄの後方位置が取付解除位置とされている。また、上記の阻害部としては、図１４に示すような平坦面２３Ｄから後方に突出する突起２６Ｂや突出部２６Ｃが挙げられ、このような阻害部を取り外し経路上に設けないようにする。即ち、図１４に示す球ならし部取付部材３０の取付位置から上方向に構成される取り外し経路（ここでは球ならし部取付部材３０の上側において構成されるベース部３０Ａと同幅の経路でありここでは移動スペースＫの位置）において取付解除位置に至るまでの位置（ここでは拘束部２６Ａによる前後方向の拘束が解除されて球ならし部取付部材３０を後方側に取り外すことができる位置）、或いは１部品分隣接する位置（ここでは移動スペースＫ）に突起や突出部或いは何らかの部品が配置されない構成とすることができる。
【００８５】
具体的には、遊技盤の盤面と平行、又は略平行に平坦面２６Ｄが構成されるように機構板２６を構成することができ、その平坦面２６Ｄに沿った方向（即ち遊技盤の盤面と平行方向又は略平行方向）を取り外し方向として構成できる。図１４の例では上方向が取り外し方向とされており、図１４に示す取付位置から上方向にスライドして移動スペースＫ内、又はその近傍に移動して取付が解除されることとなる。移動スペースとしては、取り外し方向において少なくともベース部材３０Ａの外形が後方からほぼ完全に視認できる領域を確保することが望ましい。例えば、図１４に示す移動スペースＫのように球ならし部取付部材３０をその取り外し方向と直交する方向から視認した場合のその球ならし部取付部材３０の外形面積（ここではベース部３０Ａの板面面積）と同じか又はそれより広い領域として構成することができ、このようにすれば、球ならし部取付部材３０全体が移動スペースＫに収まる構成となり、移動が阻害されること無く取付解除が行えることとなる。そして、さらに後方へ移動させることにより完全に取り外すことができる。
【００８６】
図１５、図１６は移動スペースの構成例について説明する説明図であり、図１５は、機構板２６への取付状態の一例を概念的に示し、この際における球ならし部取付部材３０の近傍を後方から見た状態を概念的に示している。また、図１６は、第１実施形態と略同様の取付構成をなすものにおいて球ならし部取付部材３０の近傍を後方から見た状態を概念的に示している。図１５、図１６では支持部３０Ｂの位置について破線にて概念的に示している。なお、図１６では、タンクレール２０の側壁形状について第１実施形態と若干異なっているが、第１実施形態のものを図１６のような形状にしてもよく、逆に第１実施形態のものにおいて図１６のような移動スペースを設けてもよい。ここに示す例では、球ならし部取付部材３０の後方側にタンクレール２０の後方側の側壁２２Ｂが位置しないようになっているため、取付状態おいて前記裏機構構成部品を裏面から見た場合に、球ならし部取付部材３０全体が後側に露出して後方から視認可能な位置に配置されている。したがって、球ならし部取付部材３０を後方向に取り外すことが可能となっている。そして、球ならし部取付部材３０を裏機構構成部品（ここでは機構板２６）に取り付けるための締結部材５５も後方から視認可能な位置に配置されており、この締結部材５５は前後方向に移動して締付、又は解除がなされるため、後方側から着脱が行いやすい構成となっている。なお、ここでは球ならし部取付部材３０の全体が後方から視認可能となるように、前後方向（遊技盤と直交する方向（図１５においては紙面と直交する方向））において球ならし部取付部材３０と後方側の側壁２２Ｂが重ならないように配置しているが、取付状態においてこれらがやや前後に重なるようにして略全体が後方から視認可能な構成であってもよい。
【００８７】
さらに、図１５の例では、球ならし部取付部材３０の上方及び両側方に移動スペースＭが構成されており、少なくとも１部品分上側又は横側に移動可能とされている。このように上側や横側に移動スペースを設けると、仮に球ならし部取付部材３０の後方に何らかの部材が配置されるような場合（即ち、後方に移動させ難い場合）において都合がよくなる。また、上方や側方に移動スペースを設けると、球ならし部が取り付けられている状態であっても、一体的に取り外すことができる。なお、ここでは、上方と側方の双方に移動スペースを設けるようにしたがいずれか一方のみであってもよく、側方に設ける場合には両側方に移動スペースを設けてもよく、片側のみに設けてもよい。
【００８８】
さらに、図１５の例は機構板２６に球ならし部取付部材３０を取り付け、その上方及び側方に移動スペースを設けるように構成したが、図１６のようにタンクレール２０に球ならし部取付部材３０を取り付け、その上方及び／又は側方に移動スペースを設けるようにしてもよい。図１６の例では、タンクレールの２０の側方において、他部品（ここでは機構板２６）によって移動スペースが構成されている。また、図１５、図１６の例では、ニ点鎖線Ｐにて球ならし部１０の外形を概念的に示すように、球ならし部１０を所定角度回転させた状態とした場合（ここでは９０°以上回転させた場合）、球ならし部１０の後方に後方側の側壁２２Ｂが位置しないようになっており、球ならし部取付部材３０を裏機構構成部品に取り付けた場合であっても容易に球ならし部１０を取り外すことができる。
【００８９】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記構成では、板状のベース部を例に挙げて説明したが、これに限定されず、例えば略板状に形成してもよく、それ以外の形状であってもよい。
（２）上記実施形態では、球ならし部取付部材に支持部を複数設ける構成として２つの支持部が形成された例を示したが３以上であってもよい。
（３）上記実施形態では裏機構構成部品としてタンクレール、貯留タンク、機構板を例に挙げたが、タンクレールの流路上方に球ならし部を配置できる構成であれば、これ以外の裏機構構成部品に球ならし部取付部材を配置するようにしてもよい。また、上記実施形態では裏機構構成部品に球ならし部取付部材を直に取り付ける構成を示したが、裏機構構成部品と球ならし部取付部材との間に何らかの部品を介在させて取り付けるようにしてもよい。
【００９０】
（４）球ならし部を支持部にて揺動可能に取り付け、かつ支持する構成として、軸状の支持部を球ならし部に形成された孔に係合させる例について示したが、支持構成はこれに限定されず、揺動可能な構成であれば様々な支持構成を用いることができる。また、支持部に球ならし部を取り付ける構成についても、着脱可能な構成であれば上記構成に限定されない。例えば、ベース部から突出するように孔を有する筒状の支持部を構成する一方、球ならし部に軸状の突起を設け、この突起をその支持部内の孔に挿入するようにして支持してもよい。この場合、その軸状の突起回りに揺動ないし回動することとなる。突起と筒状の支持部との係合構成は上記実施形態と同様に突起の先端に係合爪を形成し、これを孔の端縁に係合させるようにしても良く、これ以外の係合構成であってもよい。
【００９１】
（５）上記実施形態では支持部に球ならし部を１つのみ取り付ける構成を示したが、支持部に複数の球ならし部を取り付けるようにしてもよい。
【図面の簡単な説明】
【図１】本発明の第１実施形態に係る遊技機を概念的に例示する斜視図
【図２】図１の遊技機の裏面図
【図３】貯留タンクやタンクレールを機構板に取り付ける取付構成について説明する説明図
【図４】第１実施形態の要部となるタンクレールの一例について示す斜視図
【図５】図４の内部構造を示す図
【図６】図４の要部についてさらに拡大して示す拡大図
【図７】第２実施形態の要部について例示する斜視図
【図８】第３実施形態の要部について例示する斜視図
【図９】第３実施形態について図８とは異なる例について示す斜視図
【図１０】第４実施形態の要部について例示する斜視図
【図１１】第４実施形態について図１０とは異なる例について示す斜視図
【図１２】第５実施形態の要部について例示する斜視図
【図１３】第５実施形態について図１２とは異なる例について示す斜視図
【図１４】移動スペースについて概念的に説明する説明図
【図１５】図１４とは異なる構成における移動スペースについて説明する説明図
【図１６】図１５とは異なる構成における移動スペースについて説明する説明図
【図１７】第６実施形態について説明する説明図
【符号の説明】
１…遊技機
１０…球ならし部
１１…被係合部
１１Ａ…貫通孔
１２…貯留タンク（裏機構構成部品）
１５…締結部材
２０…タンクレール（裏機構構成部品）
２０Ａ…流路
２２…側壁
２２Ｂ…後方側の側壁
２６…機構板（裏機構構成部品）
３０…球ならし部取付部材
３０Ａ…ベース部
３０Ｂ…支持部
３３…係合部
３３Ａ…係合爪
４６…払出制御部
５０…長孔支持軸（取付位置可変設定手段）
５１…長孔（取付位置可変設定手段）
５５…締結部材
Ｋ…移動スペース
Ｍ…移動スペース
【図１】
2004321563.tif 000003
【図２】
2004321563.tif 000004
【図３】
2004321563.tif 000005
【図４】
2004321563.tif 000006
【図５】
2004321563.tif 000007
【図６】
2004321563.tif 000008
【図７】
2004321563.tif 000009
【図８】
2004321563.tif 000010
【図９】
2004321563.tif 000011
【図１０】
2004321563.tif 000012
【図１１】
2004321563.tif 000013
【図１２】
2004321563.tif 000014
【図１３】
2004321563.tif 000015
【図１４】
2004321563.tif 000016
【図１５】
2004321563.tif 000017
【図１６】
2004321563.tif 000018
【図１７】
2004321563.tif 000019